(57)【要約】【課題】軽量化を図ることができる吊下げ用調光制御ボックスを提供する。【解決手段】制御器２１を収容したボックス本体２０は、ボックス本体２０の一の面２０２に突設された棒状連結部材３１を取付具１２に連結し、取付具１２を被取付部１１に取付けることにより取付けられる。棒状連結部材３１が取付けられるボックス本体２０の一の面２０２の裏には補強板３２が取付けられ、ボックス本体２０を補強するので、ボックス本体２０全体の板厚を減ずることができる。この際、補強板３２は一の面２０２の裏にのみ設けるので、吊下げ用調光制御ボックス１０の軽量化を図ることができる。さらに、ボックス本体２０の落下を防止するワイヤ３４を取付けるワイヤ固定部３２１を補強板３２に設けたので、ワイヤ固定部３２１を別途設ける必要がなく、部品点数を減じることができる。【選択図】図２
2010238399.tif 000002
【特許請求の範囲】
【請求項１】
照明器具を制御して調光制御する吊下げ用調光制御ボックスであって、
前記照明器具を制御する制御器を収容するボックス本体と、
前記ボックス本体の一の面に突設され当該ボックス本体を取り付ける取付具に連結される棒状連結部材と、
前記一の面の裏側に設けられ前記棒状連結部材の基端部が貫通して固定される補強板と、
前記ボックス本体の落下防止用のワイヤと、を備え、
前記補強板の端部を前記ボックス本体の外部に露出させ、
前記ワイヤを引っ掛けるワイヤ固定部を前記補強板に設けたことを特徴とする吊下げ用調光制御ボックス。
【請求項２】
前記ワイヤの一端を固定する第１のワイヤ固定部を、前記棒状連結部材の基端部に設けたことを特徴とする請求項1に記載の吊下げ用調光制御ボックス。
【請求項３】
前記ワイヤの他端を引っ掛ける第２のワイヤ固定部を、前記補強板に設けたことを特徴とする請求項１または２に記載の吊下げ用調光制御ボックス。
【請求項４】
前記ボックス本体に前記制御器を収容した状態で、前記一の面の裏側に空間を有することを特徴とする請求項１ないし請求項３のいずれかに記載の吊下げ用調光制御ボックス。
【発明の詳細な説明】
【技術分野】
【０００１】
本発明は、舞台、ホール、スタジオ等において、照明演出が必要な場所で使用される照明演出システムの中で、調光制御信号を統合的にネットワークで接続するために用いられる吊下げ型の吊下げ用調光制御ボックスに関するものである。
【背景技術】
【０００２】
従来より、舞台等において照明演出する際には、調光卓から所望の調光制御信号であるＤＭＸ５１２信号をＩＮ吊下げ用調光制御ボックスに送り、ＩＮ吊下げ用調光制御ボックスでイーサネット（登録商標）信号に変換する。イーサネット信号はＨＵＢに送られて信号分配され、ＯＵＴ吊下げ用調光制御ボックスおよび監視サーバに送られる。
【０００３】
監視サーバでは、調光制御信号を受けて、調光状態の監視を行う。ＯＵＴ吊下げ用調光制御ボックスでは、イーサネット信号に変換された調光制御信号を再度ＤＭＸ５１２信号に変換し、調光装置やムービング照明器具等のようなＤＭＸ５１２信号で動作する機器等を制御する。
【０００４】
前述したＩＮ吊下げ用調光制御ボックスやＯＵＴ吊下げ用調光制御ボックス等の吊下げ用調光制御ボックスでは、棒状連結部材を用いて取付具等に連結することが行われている。このような棒状連結部材を用いた照明器具が提案されている（例えば特許文献１参照）。
【０００５】
特許文献１に記載の吊下げ用の照明器具では、器具本体の左右側面に跨って全体コ字状のバンド状の横桁部を設け、横桁部の中央部に設けられている取付け穴を貫通して棒状連結部材が取付けられる。棒状連結部材は、棒状の長手方向に細径部を挟んで両端部に拡径部を設け、細径部と拡径部との境界部分（くびれ部分）で取付具に支持される。また、棒状連結部材の基端部を横桁部に貫通させ、貫通した先端部を舌状に拡幅して脱落を防止している。
【先行技術文献】
【特許文献】
【０００６】
【特許文献１】特開２００４−３４２３９２号公報（第１図）
【発明の概要】
【発明が解決しようとする課題】
【０００７】
しかしながら、前述した特許文献１に記載の吊り下げ用の照明器具では、棒状連結部材を取付けるための横桁部を設けるため、横桁部および横桁部と照明器具本体との取付け部等において部品点数が増加するとともに重量の増加を招く。また、照明器具本体に直接棒状連結部材を取付けることにより部品点数の増加を回避することができるが、一枚板で器具本体を形成する場合に、取付部において十分な強度を保持するには器具本体の板厚が全体的に大きくなるため、重量の増加を招くという問題があった。
【０００８】
本発明は、従来の問題を解決するためになされたもので、軽量化を図ることができる吊下げ用調光制御ボックスを提供することを目的とする。
【課題を解決するための手段】
【０００９】
本発明の吊下げ用調光制御ボックスは、照明器具を制御して調光制御する吊下げ用調光制御ボックスであって、前記照明器具を制御する制御器を収容するボックス本体と、前記ボックス本体の一の面に突設され当該ボックス本体を取り付ける取付具に連結される棒状連結部材と、前記一の面の裏側に設けられ前記棒状連結部材の基端部が貫通して固定される補強板と、前記ボックス本体の落下防止用のワイヤと、を備え、前記補強板の端部を前記ボックス本体の外部に露出させ、前記ワイヤを引っ掛けるワイヤ固定部を前記補強板に設けた構成を有している。
【００１０】
この構成により、制御器を収容したボックス本体は、ボックス本体の一の面に突設された棒状連結部材を取付具に連結し、取付具を被取付部に取付けることにより取付けられる。棒状連結部材が取付けられるボックス本体の一の面の裏には補強板が取付けられ、ボックス本体を補強するので、ボックス本体全体の板厚を減ずることができる。この際、補強板は一の面の裏にのみ設けるので、吊下げ用調光制御ボックスの軽量化を図ることができる。さらに、ボックス本体の落下を防止するワイヤを取付けるワイヤ固定部を補強板に設けたので、ワイヤ固定部を別途設ける必要がなく、部品点数を減じることができる。
【００１１】
また、本発明の吊下げ用調光制御ボックスは、前記ワイヤの一端を固定する第１のワイヤ固定部を、前記棒状連結部材の基端部に設けた構成を有している。
【００１２】
この構成により、ワイヤの一端を固定する第１のワイヤ固定部を棒状連結部材の基端部に設けたので、ワイヤは、棒状連結部材を介して補強板に取付けられることとなる。
【００１３】
また、本発明の吊下げ用調光制御ボックスは、前記ワイヤの他端を引っ掛ける第２のワイヤ固定部を、前記補強板に設けた構成を有している。
【００１４】
この構成により、ワイヤの他端を引っ掛ける第２のワイヤ固定部を補強板に設けたので、部品を共通化することができ、部品点数を減少させることができる。
【００１５】
さらに、本発明の吊下げ用調光制御ボックスは、前記ボックス本体に前記制御器を収容した状態で、前記一の面の裏側に空間を有する構成を有している。
【００１６】
この構成により、ボックス本体に制御器を収容した状態で、棒状連結部材を取付けた一の面の裏側に空間が設けられているので、補強板および棒状連結部材を容易に取付けることができる。
【発明の効果】
【００１７】
本発明は、棒状連結部材が取付けられるボックス本体の一の面の裏には補強板が取付けられ、ボックス本体を補強するので、ボックス本体全体の板厚を減ずることができる。この際、補強板は一の面の裏にのみ設けるので、吊下げ用調光制御ボックスの軽量化を図ることができる。さらに、ボックス本体の落下を防止するワイヤを取付けるワイヤ固定部を補強板に設けたので、ワイヤ固定部を別途設ける必要がなく、部品点数を減じることができるという効果を有する吊下げ用調光制御ボックスを提供することができるものである。
【図面の簡単な説明】
【００１８】
【図１】本発明の第１実施形態にかかる吊下げ用調光制御ボックスの使用例を示す照明演出システムの構成図
【図２】（Ａ）は吊下げ用調光制御ボックスを被取付部側から見た斜視図、（Ｂ）は（Ａ）中Ｂ方向から見た斜視図
【図３】取付具と被取付部との取付け状態を示す断面図
【図４】吊下げ用調光制御ボックスの分解斜視図
【図５】（Ａ）は図４中Ａ−Ａ位置の断面図、（Ｂ）は（Ａ）中Ｂ部の拡大断面図、（Ｃ）は図４中Ｃ−Ｃ位置の拡大断面図
【図６】（Ａ）〜（Ｃ）は従来のワイヤ取付を示す説明図
【発明を実施するための形態】
【００１９】
（第１実施形態）
以下、本発明の第１実施形態の吊下げ用調光制御ボックスについて、図面を用いて説明する。
図１は本発明の第１実施形態にかかる吊下げ用調光制御ボックスの使用例を示す照明演出システムの構成図、図２（Ａ）は吊下げ用調光制御ボックスを被取付部側から見た斜視図、図２（Ｂ）は図２（Ａ）中Ｂ方向から見た斜視図、図３は吊下げ用調光制御ボックスの取付け状態を示す断面図、図４は吊下げ用調光制御ボックスの分解斜視図、図５（Ａ）は図４中Ａ−Ａ位置の断面図、図５（Ｂ）は図５（Ａ）中Ｂ部の拡大断面図、図５（Ｃ）は図４中Ｃ−Ｃ位置の拡大断面図、図６（Ａ）〜（Ｃ）は従来のワイヤ取付を示す説明図である。
【００２０】
図１に示すように、本発明の実施形態にかかる吊下げ用調光制御ボックス１０は、舞台、ホール、スタジオ等において、照明演出が必要な場所で使用される照明演出システム１の中で、調光制御信号を統合的にネットワークで接続するために用いられる。
【００２１】
例えば、照明演出システム１は、調光制御信号を発する調光卓２、調光卓２からの調光制御信号（ＤＭＸ５１２信号）Ｓ１を受けてイーサネット信号Ｓ２に変換するＩＮ調光制御ボックス３、イーサネット信号Ｓ２をＯＵＴ調光制御ボックス５および監視サーバ８に分配するＨＵＢ４を有する。
【００２２】
ＯＵＴ調光制御ボックス５は、ＨＵＢ４からのイーサネット信号Ｓ３を再度ＤＭＸ５１２信号Ｓ４、Ｓ５に変換して調光装置６および照明器具であるムービング照明器具７に送信する。監視サーバ８は、ＨＵＢ４からのイーサネット信号Ｓ６を受けて、調光状態の監視を行う。
吊下げ用調光制御ボックス１０は、前述したＩＮ調光制御ボックス３およびＯＵＴ調光制御ボックス５に使用することができる。
【００２３】
図２ないし図４に示すように、吊下げ用調光制御ボックス１０は、照明器具７（図１参照）を制御する制御器２１を収容するボックス本体２０と、ボックス本体２０に取付けられる蓋部４０を有する。
【００２４】
ボックス本体２０は、一枚の金属製の薄板を折り曲げ加工されており、一面が開口（開口２２）した矩形箱状の筐体で、内部に制御器２１を収容する。開口２２の周囲（図４では左右側壁２０１、２０２）には、制御器２１をボックス本体２０に取付けるための制御器取付け部２３が内側へ折り曲げて形成されている。ボックス本体２０の側壁２０３には、吊下げ用調光制御ボックス１０に電力を供給するための電源コンセント接続部２４および開口部２５が設けられている。
【００２５】
図５（Ｂ）および（Ｃ）に示すように、制御器取付け部２３は、ボックス本体２０の左右の側壁２０１、２０２（右の側壁２０２についてのみ図示する。）の上端部をボックス本体２０の内側へ向かって水平に折り曲げられた連結部２３１と、連結部２３１の内側端を下方（図５における下方）に折り曲げて形成された縦壁２３２と、縦壁２３２の下端部をボックス本体２０の内側へ折り曲げて形成された受け部２３３とを有する。
【００２６】
このように、コ字状に折り曲げて形成するので、ボックス本体２０の剛性を向上させることができる。なお、後述するように、連結部２３１には蓋部４０が取付けられ、受け部２３３には制御器２１が取付けられる。
【００２７】
図２（Ａ）および図３に示すように、ボックス本体２０の一の面である側壁２０２には、棒状連結部材であるダボ３１が外側へ突設されている。ダボ３１は、吊下げ用調光制御ボックス１０を、被取付部である例えば吊り下げ用バトン１１に取り付ける取付具としてのハンガー１２に連結する部材である。ダボ３１が突設されている側壁２０２の裏側（ボックス本体２０の内部）には、側壁２０２の長手方向における中央部において、略全幅にわたる補強板３２が設けられている。補強板３２の一端はボックス本体２０から突出し、突出部分に切欠き３２２が設けられて、第２のワイヤ固定部３２１を構成する。
【００２８】
図３に示すように、ハンガー１２は、Ｃ字状のハンガー本体１２１と、ハンガー本体１２１の一端からＣ字の中心に向かって進退可能な締め付けネジ１２２を有する。従って、吊り下げ用バトン１１をハンガー本体１２１の内部に挿通させ、締め付けネジ１２２を締めることにより吊り下げ用バトン１１をハンガー本体１２１に押し付けて固定する。ハンガー本体１２１の角部内面には山形状の凹凸１２３が設けられており、吊り下げ用バトン１１を凹凸１２３に押し付けることにより、ハンガー１２と吊り下げ用バトン１１との間の相対的回転を固定する。
【００２９】
ハンガー本体１２１の図３中下側には、棒状の取付け部１２４が設けられている。取付け部１２４は、下端面から上方へ向かってダボ３１の挿入が可能な凹部（図示省略）が設けられており、取付け部１２４の側面には、凹部の中心に向かって進退可能な固定ネジ１２５が設けられている。
【００３０】
ダボ３１は、円形断面の棒状部材の長手方向に沿って、細径部３１１を挟んで両端部に拡径部３１２、３１３を有し、細径部３１１と拡径部３１２、３１３との間にくびれ部分を有する。拡径部３１３の端面（下面）には、ネジ部３１４が下方へ突設されている。ネジ部３１４は、側壁２０２の外側に設けられている第１のワイヤ固定部であるワイヤ止め金具３３を貫通し、側壁２０２を貫通し、さらに補強板３２を貫通して、ナット３１５により固定される。
【００３１】
これにより、ダボ３１はボックス本体２０の側壁２０２に取付けられる。そして、ボックス本体２０にハンガー１２を取付けるには、ダボ３１をハンガー１２の取付け部１２４の凹部に挿入し、ダボ３１のくびれ部分（細径部３１１）を取付け部１２４の固定ネジ１２５位置に対向させて、固定ネジ１２５を回転させて先端部をくびれ部分に締め付けて固定する。
【００３２】
ワイヤ止め金具３３には、吊下げ用調光制御ボックス１０が吊り下げ用バトン１１から落下するのを防止するワイヤ３４の一端が取付けられている。また、ワイヤ３４の他端には引っ掛け金具３５が取付けられている。
これにより、一端がワイヤ止め金具３３を介してダボ３１によりボックス本体２０に固定されたワイヤ３４は、吊り下げ用バトン１１の外側を通って配策され、先端の引っ掛け金具３５を補強板３２の第２のワイヤ固定部３２１に設けられている切欠き３２２に引っ掛けて取り付けられる。これにより、吊下げ用調光制御ボックス１０の脱落を確実に防止する。
【００３３】
すなわち、図６（Ａ）に示すように、従来、ワイヤ３４の一端に設けた輪３４１に引っ掛け金具３５を引っ掛けることが行われている。この際、誤って図６（Ｂ）に示すように、引っ掛け金具３５をワイヤ３４の途中に引っ掛けると、引っ掛け金具３５がワイヤ３４に沿って滑り、吊下げ用調光制御ボックス１０はワイヤ３４の長さだけ落下することになる。このような事態を回避することができる。
また、図６（Ｃ）に示すように、引っ掛け金具３５を引っ掛けるための金具３６を別途設けると、図６（Ｂ）に示すような不具合を解消できるが、部品点数が増加することになる。このような金具３６を補強板３２で兼ねることにより、部品点数を減少させることができる。
【００３４】
図４に示すように、制御器２１は、電気部品等が収容されている矩形箱状の制御器本体２１１と、制御器本体２１１の図４における上面を覆って周囲に突出する鍔状の天板２１２を有する。制御器本体２１１の上面には、ＤＭＸ５１２信号Ｓ１、Ｓ４、Ｓ５が入出力されるＤＭＸ５１２信号用コネクタ接続部２１３等が設けられている。また、制御器本体２１１の側面には、イーサネット信号Ｓ２、Ｓ３を入出力するためのイーサネット用コネクタ接続部２１４が設けられている。天板２１２の中央には切欠き２１５が設けられており、ＤＭＸ５１２信号用コネクタ接続部２１３等が切欠き２１５から露出している。
【００３５】
制御器２１は、制御器本体２１１をボックス本体２０の開口２２に挿入し、天板２１２の下面を制御器取付け部２３の受け部２３３の上面に載置して、ネジ止めして取付ける。このとき、制御器本体２１の側面に設けられているイーサネット用コネクタ接続部２１４は、ボックス本体２０の側壁２０３に設けられている開口部２５を介して、外部に露出する。
【００３６】
制御器２１を取付ける受け部２３３は、前述したように、蓋部４０を取付ける連結部２３１から一段下がって設けられている。このため、制御器２１の天板２１２の上面が連結部２３１の上面と面一になるように、制御器２１を受け部２３３に取付けることができ、吊下げ用調光制御ボックス１０の小型化を図ることができる。
【００３７】
また、ボックス本体２０に制御器２１を収容した状態で、側壁２０２の裏側には空間２６（図５（Ａ）参照）が設けられている。このため、補強板３２やダボ３１を容易に取付けることができる。
【００３８】
図２および図４に示すように、ボックス本体２０の開口２２を覆う蓋部４０は、矩形の金属製薄板から成る蓋部本体４１の周縁部を折り曲げて、周壁４２が形成されている。蓋部本体４１の中央には、制御器２１の天板２１２に設けられている切欠き２１５に対応した大きさの切欠き４３が設けられている。蓋部本体４１の四隅には、蓋部４０をボックス本体２０に取付けるネジ４５用のネジ穴４６が設けられている。また、蓋部本体４１において補強板３２に対応する位置には、補強板３２を挿通させるための切欠き４７が設けられている。これにより、補強板３２の端部である第２のワイヤ固定部３２１は、ボックス本体２０から外部に露出することになる。
【００３９】
蓋部本体４１の上面には、蓋部本体４１の対向する二辺に沿って、一対の取っ手４４、４４が取付けられている。取っ手４４は、円形パイプをコ字状に曲げて形成されており、蓋部本体４１の表面４１１に当接する両端面は、蓋部本体４１の裏面４１２から貫通する締結部材としてのネジ４４１によって固定される（図５（Ｃ）参照）。取っ手４４、４４は、吊下げ用調光制御ボックス１０の持ち運びを容易にするとともに、蓋部４０の剛性を向上させる。また、制御器２１のＤＭＸ５１２信号用コネクタ接続部２１３等を衝撃や衝突から保護する。
【００４０】
図４に示すように、ボックス本体２０の制御器取付け部２３の連結部２３１には、蓋部４０を取付けるネジ４５が螺合するネジ穴２３４が設けられている。連結部２３１におけるネジ穴２３４の近傍には、蓋部４０をボックス本体２０に被せた際に、取っ手４４を固定するネジ４４１に対向する位置に、切欠き部２３５が設けられている。切欠き部２３５は、ネジ４４１の頭を回避可能な大きさとなっている。
【００４１】
以上、説明した本発明の実施形態にかかる吊下げ用調光制御ボックス１０によれば、制御器２１を収容したボックス本体２０は、ボックス本体２０の側壁２０２に突設されたダボ３１をハンガー１２に連結し、ハンガー１２を吊り下げ用バトン１１に取付けることにより取付けられる。ダボ３１が取付けられるボックス本体２０の側壁２０２の裏には補強板３２が取付けられ、ボックス本体２０を補強するので、一枚の金属板で形成されているボックス本体２０全体の板厚を減ずることができる。この際、補強板３２は側壁２０２の裏にのみ設けるので、吊下げ用調光制御ボックス１０全体の軽量化を図ることができる。さらに、ボックス本体２０の落下を防止するワイヤ３４を取付ける第２のワイヤ固定部３２１を補強板３２に設けたので、第２のワイヤ固定部３２１を別途設ける必要がなく、部品点数を減じることができる。
【００４２】
また、ワイヤ３４の一端を固定するワイヤ止め金具３３をダボ３１の基端部に取り付けたので、ワイヤ３４は、ダボ３１を介して補強板３２に取付けられることとなり、確実にボックス本体２０に取付けられる。
【００４３】
また、ワイヤ３４の先端に設けられている引っ掛け金具３５を引っ掛ける第２のワイヤ固定部３２１を補強板３２に設けたので、部品を共通化することができ、部品点数を減少させることができる。
【００４４】
また、ボックス本体２０に制御器２１を収容した状態で、ダボ３１を取付けた側壁２０２の裏側に空間２６が設けられているので、補強板３２およびダボ３１を取付けることができる。
【００４５】
さらに、ボックス本体２０の開口２２の周囲を例えばコの字状に折り曲げて、制御器２１を取付ける制御器取付け部２３を形成したので、ボックス本体２０の剛性を向上させることができる。また、ボックス本体２０の開口２２を覆う蓋部４０にネジ４４１により取っ手４４を取付けたので、蓋部４０の剛性を向上させるとともに、持ち運びが容易になる。また、制御器取付け部２３に蓋部４０のネジ４４１の頭を回避する切欠き部２３５を設けたので、蓋部４０を制御器取付部２３の連結部２３１に取付けて開口２２を覆った際に、ネジ４４１がボックス本体２０の連結部２３１に干渉するのを回避することができる。このため、蓋部４０を連結部２３１の面に取付けることができ、吊下げ用調光制御ボックス１０の小型化を図ることができる。
【００４６】
また、ボックス本体２０の開口２２の周囲に設けられ制御器２１を取付ける制御器取付部２３に、蓋部４０を取付ける連結部２３１を折り曲げにより設けたので、制御器取付部２３の剛性を向上させるとともに、受け部２３３と連結部２３１を共通部材とすることができ、部品点数を削減することができる。
【００４７】
なお、本発明の吊下げ用調光制御ボックスは、前述した実施形態に限定されるものでなく、適宜な変形，改良等が可能である。
【符号の説明】
【００４８】
７  ムービング照明器具（照明器具）
１０  吊下げ用調光制御ボックス
１２  ハンガー（取付具）
２０  ボックス本体
２０２  側壁（一の面）
２１  制御器
２６  空間
３１  ダボ（棒状連結部材）
３２  補強板
３２１  第２のワイヤ固定部（端部、ワイヤ固定部）
３３  ワイヤ止め金具（第１のワイヤ固定部）
３４  ワイヤ
３５  引っ掛け金具（ワイヤの他端）
【図１】
2010238399.tif 000003
【図２】
2010238399.tif 000004
【図３】
2010238399.tif 000005
【図４】
2010238399.tif 000006
【図５】
2010238399.tif 000007
【図６】
2010238399.tif 000008